【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
標的位置において少なくとも１つの固定部を発射するように構成された挿入器具であって、前記固定部は実質的に伸長方向に沿って延びる固定部本体を含み、前記固定部は、実質的に前記伸長方向に沿って前記固定部本体から延びる、作動部材を更に含み、前記挿入器具は、
長手方向に沿って細長いアクセス部材であって、前記アクセス部材は、前記標的位置に少なくとも一部が挿入されるように構成された遠位端を画定する、アクセス部材と、
前記少なくとも１つの固定部を解放可能に担持する固定部ハウジングであって、前記固定部ハウジングは前記アクセス部材と位置合わせされるように構成される、固定部ハウジングと、
前記作動部材に取り付けられるように構成された並進部材を含む張力アセンブリであって、前記並進部材が前記作動部材に取り付けられたときに前記伸長方向に対して角度的にオフセットされた第２方向に沿って前記固定部本体を拡張させるために、前記並進部材は、前記アクセス部材の前記遠位端に対して第１位置から第２拡張位置まで並進するように構成される、張力アセンブリとを含む、挿入器具。
【請求項２】
前記アクセス部材が、前記長手方向に沿って前記アクセス部材内部を通じて延び、前記固定部ハウジングの少なくとも一部を内部に受容するような大きさの、カニュレーションを画定する、請求項１に記載の挿入器具。
【請求項３】
前記固定部ハウジング内に挿入され、前記固定部ハウジングから前記アクセス部材の前記遠位端の外へと前記少なくとも１つの固定部を発射させるように構成された、プッシャー部材を更に含む、請求項１に記載の挿入器具。
【請求項４】
前記張力アセンブリは、前記作動部材に所定の張力特性を適用し、それによって前記固定部本体を、前記第２方向に沿って拡張させるように構成される、請求項１に記載の挿入器具。
【請求項５】
前記並進部材は、前記並進部材が前記第１位置から前記第２拡張位置まで並進する際に、前記作動部材に張力を加える、請求項４に記載の挿入器具。
【請求項６】
前記並進部材を前記第１位置から前記第２拡張位置まで並進させる、回転可能部材を更に含む、請求項５に記載の挿入器具。
【請求項７】
前記カニュレーションに挿入されるように構成された開口部形成部材を更に含み、前記開口部形成部材は、
前記開口部形成部材の遠位端の先端部と、
前記開口部形成部材が、前記アクセス部材の前記カニュレーションに完全に挿入される際に、前記アクセス部材と当接するように構成された、接触面と、
前記先端部と前記接触面との間で延びるシャフトとを画定する、請求項２に記載の挿入器具。
【請求項８】
前記先端部が円錐形である、請求項７に記載の挿入器具。
【請求項９】
前記シャフトが、前記第５接触面に向かう方向に沿って前記先端部から螺旋状に延びる、少なくとも１つの穿孔溝を画定する、請求項７に記載の挿入器具。
【請求項１０】
前記長手方向と実質的に平行な長手方向軸を中心とした、前記回転可能部材の回転により、前記並進部材が前記第１位置から前記第２拡張位置まで並進する、請求項６に記載の挿入器具。
【請求項１１】
前記回転可能部材は本体を含み、前記本体は、内側表面、及び前記長手方向に沿って前記本体内部を通じて延びるボアを画定し、前記内側表面は、前記ボアの内側表面を画定し、前記ボアは前記並進部材を前記ボア内部に受容するような大きさである、請求項１０に記載の挿入器具。
【請求項１２】
前記並進部材は、前記回転可能部材により画定された少なくとも１つの補完的な連結部材と干渉するように構成された少なくとも１つの連結部材を含む、請求項１１に記載の挿入器具。
【請求項１３】
前記並進部材の前記少なくとも１つの連結部材は、少なくとも１つの突起部であり、前記回転可能部材の前記少なくとも１つの連結部材は、前記本体の前記内側表面内へ延びる少なくとも１つの溝であり、前記少なくとも１つの突起部は、前記少なくとも１つの溝により受容され、それにより、前記回転可能部材が前記長手方向軸を中心に回転する際に、前記並進部材は前記回転可能部材内で並進する、請求項１２に記載の挿入器具。
【請求項１４】
前記並進部材が前記第１位置から前記第２拡張位置まで並進する際に、前記回転可能部材に対する前記並進部材の回転を防ぐように構成された、少なくとも１つのガイド部材を更に含む、請求項６に記載の挿入器具。
【請求項１５】
前記並進部材が、近位本体部材、及び前記近位本体部材と解放可能に係合するように構成された遠位本体部材を含み、前記並進部材が、前記作動部材に取り付けられるように構成される、請求項５に記載の挿入器具。
【請求項１６】
前記所定の張力特性は、規定の規模の張力であり、前記規定の規模の張力が前記並進部材に加えられた場合、前記遠位本体部材は前記近位本体部材から係合離脱し、それにより前記作動部材を前記並進部材から解放する、請求項１５に記載の挿入器具。
【請求項１７】
前記近位本体部材は、前記遠位本体部材により画定される補完的な係合部材と係合するように構成された、少なくとも１つの剪断部材を画定する、請求項１６に記載の挿入器具。
【請求項１８】
前記張力が前記規定の規模の張力と等しい際に、前記係合部材により前記剪断部材が前記近位本体部材から剪断され、それにより前記近位本体部材が、前記遠位本体部材から係合離脱する、請求項１７に記載の挿入器具。
【請求項１９】
前記所定の張力特性が、所定の距離であり、前記並進部材は、前記固定部本体を拡張させるように、前記所定の距離だけ前記第１位置から前記第２拡張位置まで並進する、請求項４に記載の挿入器具。
【請求項２０】
前記並進部材が前記作動部材に取り付けられると、前記並進部材は、前記並進部材が前記アクセス部材の前記遠位端に対して前記所定の距離だけ並進するにつれて、前記作動部材に張力を加える、請求項１９に記載の挿入器具。
【請求項２１】
前記並進部材を前記第１位置から前記第２拡張位置まで並進させる、回転可能部材を更に含む、請求項１９に記載の挿入器具。
【請求項２２】
前記回転可能部材の回転により、前記並進部材は、前記アクセス部材の前記遠位端に対して前記所定の距離だけ並進する、請求項２１に記載の挿入器具。
【請求項２３】
前記長手方向と実質的に平行な長手方向軸を中心とした、前記回転可能部材の回転により、前記並進部材が前記第１位置から前記第２拡張位置まで並進する、請求項２２に記載の挿入器具。
【請求項２４】
前記所定の張力特性は、規定の規模の張力である、請求項４に記載の挿入器具。
【請求項２５】
前記並進部材は、前記作動部材に解放可能に取り付けられ、前記並進部材は、前記規定の規模の張力が前記並進部材に加えられるまで並進し、それにより、前記作動部材を前記並進部材から解放するように構成される、請求項２４に記載の挿入器具。
【請求項２６】
前記並進部材は、近位本体部材、及び前記近位本体部材と解放可能に係合し、前記作動部材に解放可能に取り付けられるように構成された遠位本体部材を含む、請求項２５に記載の挿入器具。
【請求項２７】
前記規定の規模の張力が前記並進部材に加えられると、前記遠位本体部材は、前記近位本体部材から係合離脱し、それにより前記作動部材を前記並進部材から解放する、請求項２６に記載の挿入器具。
【請求項２８】
前記近位本体部材は、前記遠位本体部材により画定される補完的な係合部材と係合するように構成された、少なくとも１つの剪断部材を画定し、前記規定の規模の張力が前記並進部材に加えられると、前記少なくとも１つの剪断部材は、前記近位本体部材から前記遠位本体部材を分離するように剪断される、請求項２７に記載の挿入器具。